【事件の表示】
　平成　３年特許願第１８８３７２号「パチンコ機」拒絶査定に対する審判事件［平成　４年１１月１７日出願公開、特開平　４−３２７８７１］について、次のとおり審決する。
【結　論】
　本件審判の請求は、成り立たない。
【理　由】
第一．手続の経緯・本願発明
　本願は、平成３年４月２６日の出願であって、平成１３年７月２日付で特許法第２９条第２項の規定により拒絶査定され、平成１３年８月２日付審判請求に伴って平成１３年９月３日付で手続補正がなされたものであって、特許請求の範囲に記載された請求項に係わる発明は、前記平成１３年９月３日付手続補正書の請求項に記載されたとおりのものであるところ、請求項１に記載された発明は（以下「本願発明」という）以下のとおりである。　
　「パチンコ機の前枠に備える機構板に着脱自由に装着される遊技板の背面に遊技を制御する遊技制御回路を装備し、該制御回路を前記機構板の背面に添わせるカバーで覆う一方、前記機構板には前記カバーによって覆われない背面の下部にパチンコ機本体の諸装置を制御する本体制御回路を装備し、遊技制御関係と本体制御関係の各制御回路を前記カバーにより分離し、個別に装備したことを特徴とするパチンコ機。」
　　　
第二．刊行物に記載された発明
　原査定の拒絶理由に引用された（１）特開平１−１７０４８７号公報（以下「刊行物１」という）、（２）特開平２−８２９９１号公報（以下「刊行物２」という）、及び本願発明出願前に頒布された、周知例としての刊行物（３）特開昭６２−２８６４８３号公報（以下「周知例１」という）、（４）特公昭６２−２５３９１号公報（以下「周知例２」という）には、以下の事項が記載されている。
　（１）刊行物１（特開平１−１７０４８７号公報）
　　（１−１）．「［従来の技術］・・・・。しかし、遊技盤の交換サイクルに対して賞球排出処理に関係する裏機構盤の交換サイクルは長いため、遊技盤を複数系統の賞球を排出する遊技盤に交換したり、１系統の賞球しか排出しない遊技盤に交換したりして使う場合が生ずる。」（第１頁左欄末行〜同頁右欄第１０行）
　　（１−２）．「［発明が解決しようとする問題点］　ところが、従来のパチンコ遊技機にあっては、複数系統の賞球排出個数に制御するための制御盤が通常の賞球排出を行なわせるための賞球排出制御基板に組み込まれた状態に配設され、その制御基板が裏機構盤に一体的に組み込まれていたので、遊技店にあっては、賞球排出数の異なる遊技盤の交換に際し、まだ使用することのできるパチンコ遊技機の裏機構盤を廃棄して、その遊技部に適合したパチンコ遊技機の裏機構盤を新たに設置しなければならないという問題点があった。」（第１頁右欄第１１行〜第２頁左上欄第１行）
　　（１−３）．「［作用］　１系統賞球排出の遊技盤と複数系統賞球排出の遊技盤とを交換するとともにそれら遊技盤と１対１に対応して作られた役物制御装置を交換することにより、１系統賞球排出のパチンコ遊技機と複数系統賞球排出のパチンコ遊技機盤との入れ換えが可能となってパチンコ遊技機の裏機構の有効利用ができる。」（第２頁左上欄末行〜同頁右上欄第７行）
　　（１−４）．「第１２図には、上記パチンコ遊技機に上記のような遊技とそれに伴う賞球排出を行なわせる賞球排出制御基板３００と役物制御装置４００のブロック図を示す。
この実施例の場合、賞球排出制御基板３００と役物制御装置４００とはそれぞれ別個のものとされており、賞球排出制御基板３００は上記裏機構盤８０の裏蓋１１３（第６図）の内側に取り付けられ、役物制御装置４００は第３図に示すように裏機構盤８０の裏側に着脱可能に取り付られている。そして、裏蓋１１３は、この実施例の場合、前記裏機構盤８０に対しねじ止め等によって着脱可能に取り付けられている。」（第１２頁右上欄第２〜１４行）
　　（１−５）．してみると、刊行物１には以下の発明（以下「引用発明」という）が記載されている。
　パチンコ遊技機において、遊技盤の交換サイクルに対して長い交換サイクルを持ち、賞球排出処理に関係する裏機構盤の有効利用を図るため、遊技盤と１対１に対応して作られた役物制御装置４００と賞球排出制御基板３００とを別個にして、遊技盤の交換に際しては、遊技盤と役物制御装置４００とを取り外すこと、すなわち、交換される遊技盤に特有な機器のみ交換する遊技盤交換手法が記載されている。
　　　　
　（２）特開平２−８２９９１号公報（以下「刊行物２」という）　
　　（２−１）．「一方、パチンコ機１の背面側では、金属製の機構枠板２７が前枠４の裏面に止着され、この機構枠板２７に賞球を貯留する上タンク２８が止着され、該上タンク２８に連通して球供給樋２９が設けられ、この球供給樋２９に連通して賞球排出装置３０が設けられる。賞球排出装置３０はセーフ球により所定数の賞球を上皿１１に排出することができる。」（第２頁右下欄第２〜８行）
　　（２−２）．「遊技盤１０の裏面には、まずセット板３１を止着する。このセット板３１は遊技盤１０に設けた各入賞口２３に連通する球誘導路３２を有しており、各球誘導路３２はセット板３１から後向きに隆出し、下端が下向きに開口する。またセット板３１にはセンター役物１９を挿入可能な通孔３３を開設し、該通孔３３の周辺に後向きに突出するボス３４を設ける。このボス３４にはパチンコ機１の各種装置を電気的に制御する制御手段の回路基板３５を取り付ける。」（第２頁右下欄第９〜１７行）
　　（２−３）．「上記第１カバー３６は背面部分に開口窓４０を有した背抜き状であって、この開口窓４０の周囲に第２カバー４１を形成し、セット板３１と第２カバー４１との間に上記第１空間領域３７に連通する第２空間領域４２を形成する。」（第３頁左上欄第１５〜１９行）
　　（２−４）．「この第２空間領域４２にはセット板３１のボス３４に取り付けた回路基板３５や電気部材が位置する。」（第３頁右上欄第４〜６行）
　　（２−５）．「上記のような構成のパチンコ機１において、遊技者が発射した打球が遊技盤１０に設けた何れかの入賞口２３に入賞すると、この球はセット板３１に設けた球誘導路３２に入り、該球誘導路３２を通って第１球寄せ通路３８に落下する。また、センター役物１９へ入賞した球を第２空間領域４２へ排出するように構成してある場合には、第２球寄せ通路４７を通って第１球寄せ通路３８へ入る。」（第３頁右下欄第１６〜第４頁左上欄第３行）
　　　
　（３）周知例１（特開昭６２−２８６４８３号公報）
　　（３−１）．「さらに、裏機構盤１には、上記賞品球排出装置２０やオーバーフロー検出器９２からの検出信号による打球発射停止、各種表示装置の駆動などパチンコ遊技機全体の電気的な制御を行なうための制御装置２００及び遊技盤前面の各種変動入賞装置や可変表示型補助遊技装置等に内蔵された検出器からの信号に基づいてそれらの遊技動作を制御する遊技内容制御装置２１０が設けられている。
　パチンコ遊技機の分野では、遊技内容の単調化による遊技客離れを防止するため、遊技内容や意匠的な構成の異なる新しい遊技盤と交換することが行なわれるが、その場合にも遊技盤を除くパチンコ遊技機本体や裏機構盤はほとんど同一である。しかるに、そのような不変部分についてもその寿命に達する以前に遊技盤と一緒に交換してしまうことは非常に不経済である。
　上記実施例では、遊技盤の交換に際して遊技盤とその遊技内容制御装置２１０のみ交換すれば良いような構成にされている。つまり、遊技内容制御装置２１０は着脱可能な遊技盤の裏面に固定されており、賞品球排出装置２０や入賞球処理装置４０及びそれらの制御装置２００は、予備球貯留タンク２や各種誘導樋１０〜１７とともに遊技機本体と一体の裏機構盤１に固定されている。従って、遊技盤を交換する場合も、本体及び裏機構盤の大部分はそのまま残し、継続して使用することができるようになり非常に経済的である。」（第４頁左上欄第１７行〜同頁左下欄第３行））
　　
　（４）．周知例２（特公昭６２−２５３９１号公報）
　　（４−１）．「そして、従来では遊技内容に応じて異なる電子制御回路を種々の大きさの基板に組込み、該基盤を遊技盤の裏面に対向させて開閉可能に装着した裏部品組付用の機構板の外側表面に固着すると共に、該電子制御回路と遊技盤に設けられた電動入賞装置とを予め定められた動作を行わせるように電気配線していたのであるが、かかる従来パチンコ機では、遊技盤を交換する毎にその遊技盤に設けられた電動入賞装置の動作に見合うようにプログラムされた新らしい電子制御基板を遊技盤とは別個に機構板に固着した後、遊技盤と電気配線を行わなければならず、その配線作業は非常に面倒であると共に、高い電気知識が必要とされるため種々の問題点があった。」（第２欄第６〜２０行）
　　（４−２）．「電子制御回路と遊技盤に設けられた電動入賞装置等の電気部品とを電気配線して基盤と遊技盤とを一体化することにより、電動入賞装置と電子制御回路との配線作業の簡略化を図ると共に、遊技盤の交換時の誤配線の虞れを解消して遊技内容の変更にともなう新しい遊技盤の交換が遊技場において容易にできるパチンコ機を提供することを目的とするものである。」（第３欄第２２〜２９行）
　　（４−３）．「また、本発明の別の目的は、電子制御回路が組込まれた基盤を、遊技盤でなく遊技盤の裏面に取付けた入賞玉集合カバーの外側表面に取付けることにより、入賞玉の流下に全く支障を与えることなく、かついかなるパチンコ機にも適用でき、上述の目的を達成できるようなパチンコ機を提供することである。」（第３欄第３０〜３６行）
　　（４−４）．「また、機構板５には従来公知の入賞玉制御器２１や景品玉排出機構２２等の一連の裏部品が設けてある。従って、遊技盤３を前面枠２１の裏側に設置し、機構板５を遊技盤３の裏面に閉止して締付金具７によってクランプした後、カップラー１９を電源コードに接続することによって簡単に遊技盤３の交換を完了することができるものである。」（第４欄第４３行〜第５欄第６行）
　　（４−５）．「そして、遊技盤３はその表面に設けられた電動入賞装置１２を動作させる電子制御回路を一体に備え、かつその電動入賞装置１２を電子制御回路に基いて予め定められた動作を行わせるように電気配線して一体化して完成させたので、遊技盤３の遊技場における交換の際に面倒な配線作業や基板の機構板への取付作業が一切不要となり、しかも誤配線の虞れもなくなる。」（第５欄第２３行〜第６欄第２行）
　　
第三．本願発明と刊行物１に記載された発明との対比
　（１）本願発明の用語の定義
　　(i)．「カバー」について、
　　　本願の明細書の段落【００２６】に、「図中４２は前記機構枠体１３に一体に組付けられ閉塞時に機構板２の背面に添わせて遊技板３の背面を被いセーフ球寄せを形成する箱形のカバーであり、」と記載され、当該記載によると、「カバー」とは、遊技板の背面を覆ってセーフ球寄せを形成するものと認める。
　（２）．両者の構成上の対応　　　　
　　(i)．引用発明における「裏機構盤」は、本願発明の「機構板」に相当する。
　　(ii)．引用発明における「役物制御装置４００」は、本願発明における「遊技制御回路」に相当する。
　　(iii)．引用発明における「賞球排出制御基板３００」は、本願発明における「本体制御回路」に相当する。
　（３）．一致点・相違点
　　下記（Ａ）の点で一致し、下記（Ｂ）の点で相違する。
　　（Ａ）．一致点
　　　パチンコ機に着脱自由に装着される遊技板、遊技板の裏側に接合される機構板、及び、遊技を制御する遊技制御回路を装備し、前記機構板背面の下部に、パチンコ機本体の諸装置を制御する本体制御回路を装備し、遊技制御関係と本体制御関係の各制御回路を分離して、個別に装備したことを特徴とするパチンコ機。
　　（Ｂ）．相違点
　　　(i)．遊技板の装着箇所として、本願発明では、前枠に備える機構板であるのに対し、引用発明では装着箇所については明記されていない点
　　　(ii)．遊技を制御する遊技制御回路の配設箇所として、本願発明では、遊技板の裏面であるのに対し、引用発明では、機構板の背面である点
　　　(iii)．制御回路に関して、本願発明では、遊技制御回路をカバーで覆って、本体制御回路とはカバーで分離しているのに対し、引用発明では、遊技制御回路はカバーにて覆われていないので、当然に本体制御回路はカバーで遊技制御回路とは分離されていない点
　　
第四．相違点の検討
　（１）．相違点(i)について、
  　遊技板の装着箇所として、前枠に備える機構板とすることは前記刊行物４に示されるように周知の事項であるから、当該相違点は当業者が適宜為し得る設計的事項である。
　（２）．相違点(ii)について、
　　遊技板の交換に際して、遊技制御回路等の遊技板に特有な機器のみを交換することが刊行物１に記載されているから、交換に際して考慮する交換作業の効率化の観点からすれば、交換するものを一体的に纏めることは当業者が容易に想到できることであり、その際に、遊技制御回路を遊技板に配設することも、制御回路の配設箇所として遊技板の裏面が周知例１、２に示されるように周知の配設箇所であることを考慮すると、当該相違点は当業者が容易に為し得ることであり、このことは前記（４−５）、（３−１）の記載からも明らかである。
　（３）．相違点(iii)について、
　　遊技板の背面を、球寄せを形成するカバーで覆い、当該カバー内の遊技板背面に制御回路を配設することは前記刊行物２に示されるように周知の事項であり、一方球寄せに関与しない背面下部等をカバーで覆う格別の必要性、及び、作用・効果は認められないから、当該相違点は当業者が適宜為し得ることである。
　　　　　
第五．むすび
  したがって、本願発明は、前記刊行物１に記載された発明、及び前記周知事項に基づいて当業者が容易に発明をすることができたものであるので、特許法第２９条第２項の規定により特許を受けることができない。
　よって、結論のとおり審決する。